(57)【特許請求の範囲】
【請求項１】
第一基板と、前記第一基板に設置された第一導電構造体と、を有する第一電極板と、
前記第一電極板から所定の距離だけ離れ、第二基板と、前記第二基板に設置された第二導電構造体と、を有する第二電極板と、を含み、
前記第一導電構造体及び前記第二導電構造体が、カーボンナノチューブ構造体から成り、
前記カーボンナノチューブ構造体が、複数のカーボンナノチューブワイヤから成り、
前記カーボンナノチューブワイヤが複数のカーボンナノチューブのみから成り、
前記複数のカーボンナノチューブは、端と端が分子間力で接続され、
前記第一導電構造体におけるカーボンナノチューブワイヤの両方の端部が、それぞれ二つの第一電極に電気的に接続され、
前記第二導電構造体におけるカーボンナノチューブワイヤの両方の端部が、それぞれ二つの第二電極に電気的に接続され、
前記第一導電構造体における複数のカーボンナノチューブワイヤが第二方向に対して平行に並列され、
前記第二導電構造体における複数のカーボンナノチューブワイヤが第一方向に対して平行に並列されることを特徴とする抵抗膜方式タッチパネル。
【請求項２】
前記第一導電構造体又は第二導電構造体におけるカーボンナノチューブワイヤが、相互に平行に配列されていることを特徴とする、請求項１に記載の抵抗膜方式タッチパネル。
【請求項３】
隣接する前記カーボンナノチューブワイヤの間の距離が、１０ｎｍ〜１ｍｍであることを特徴とする、請求項１又は２に記載の抵抗膜方式タッチパネル。
【請求項４】
前記カーボンナノチューブワイヤが、端と端で接続された複数のカーボンナノチューブセグメントを含み、
単一のカーボンナノチューブセグメントが、平行に配列された複数のカーボンナノチューブであることを特徴とする、請求項１から請求項３のいずれか一項に記載の抵抗膜方式タッチパネル。
【請求項５】
前記カーボンナノチューブワイヤの直径が０．５ｎｍ〜１００μｍであることを特徴とする、請求項１から請求項４のいずれか一項に記載の抵抗膜方式タッチパネル。
【請求項６】
前記第一方向と前記第二方向とが、０°〜９０°角度で交叉されていることを特徴とする、請求項１に記載の抵抗膜方式タッチパネル。
【請求項７】
抵抗膜方式タッチパネルと、該抵抗膜方式タッチパネルに近接する表示素子と、を含むディスプレイにおいて、
前記タッチパネルが、
第一基板と、前記第一基板に設置された第一導電構造体と、を有する第一電極板と、
前記第一電極板から所定の距離だけ離れ、第二基板と、前記第二基板に設置された第二導電構造体と、を有する第二電極板と、を含み、
前記第一導電構造体及び前記第二導電構造体が、カーボンナノチューブ構造体から成り、
前記カーボンナノチューブ構造体が、複数のカーボンナノチューブワイヤから成り、
前記カーボンナノチューブワイヤがカーボンナノチューブのみから成り、
前記複数のカーボンナノチューブは、端と端が分子間力で接続され、
前記第一導電構造体におけるカーボンナノチューブワイヤの両方の端部が、それぞれ二つの第一電極に電気的に接続され、
前記第二導電構造体におけるカーボンナノチューブワイヤの両方の端部が、それぞれ二つの第二電極に電気的に接続され、
前記第一導電構造体における複数のカーボンナノチューブワイヤが第二方向に対して平行に並列され、
前記第二導電構造体における複数のカーボンナノチューブワイヤが第一方向に対して平行に並列されることを特徴とするディスプレイ。
【発明の詳細な説明】
【技術分野】
【０００１】
本発明は、タッチパネル及びそれを利用したディスプレイに関し、特にカーボンナノチューブ構造体を利用したタッチパネル及びそれを利用したディスプレイに関する。
【背景技術】
【０００２】
タッチパネルは、画面に指やペンなどで直接触れることで機械を操作する装置であり、ＬＣＤなど表示装置、ＰＤＡなど携帯装置、銀行のＡＴＭやＰＯＳなど多くの装置で用いられている。タッチパネルに対して、タッチした位置の検出を電気的に行うものとして、抵抗膜方式や静電容量方式などがある。一方、電気を用いないものとして、超音波方式や赤外遮光方式、画像認識方式などがある。
【０００３】
現在の抵抗膜方式タッチパネルは、ベースとなるガラス基板の表面に非常に微小なスペーサをはさみ、その表面にしなやかなフィルムを貼り付ける。前記ガラス基板及び前記フィルムの向かい合う面には、それぞれ透明導電性薄膜が設けられている。
【０００４】
タッチしていない状態では、前記微小なスペーサにより前記二枚の透明導電性薄膜は接触していないために、電流が生じない。前記フィルムをタッチすると、圧力によりフィルムがたわみ、前記ガラス基板の透明導電性薄膜と接触し、電流が流れる。前記ガラス基板、フィルムそれぞれの透明導電性薄膜の抵抗による分圧比を測定することで押された位置を検出する。
【非特許文献１】Ｋａｉｌｉ  Ｊｉａｎｇ、Ｑｕｎｑｉｎｇ  Ｌｉ、Ｓｈｏｕｓｈａｎ  Ｆａｎ、“Ｓｐｉｎｎｉｎｇ  ｃｏｎｔｉｎｕｏｕｓ  ｃａｒｂｏｎ  ｎａｎｏｔｕｂｅ  ｙａｒｎｓ”、Ｎａｔｕｒｅ、２００２年、第４１９巻、ｐ．８０１
【発明の開示】
【発明が解決しようとする課題】
【０００５】
現在主流の方式では、全面がＩＴＯ（Ｉｎｄｉｕｍ  Ｔｉｎ  Ｏｘｉｄｅ）と呼ばれる透明導電性薄膜で構成されるので、構造が単純となり、剥離や磨耗、断線などがおきにくいために、寿命が長く、透過率も高く改善されている。しかし、ＩＴＯ（Ｉｎｄｉｕｍ  Ｔｉｎ  Ｏｘｉｄｅ）はスパッタリング法、イオンプレーティング、塗布法などの方法により成膜されるので、製造方法が複雑である。また、ＩＴＯ薄膜は、機械的及び化学的性能が良好でなく、膜質の均一性が低いという欠点がある。また、ＩＴＯ薄膜の光透過性が低いので、明るい環境で表示パネルに表示される画面が見にくくなる。従って、現在のタッチパネルには、正確性や応答性が低く、光透過性が低いという課題がある。
【０００６】
前記課題を解決するために、正確性や応答性が向上し、光透過性が高いタッチパネルを提供することが必要となる。
【課題を解決するための手段】
【０００７】
本発明のタッチパネルは、第一基板と、前記第一基板に設置された第一導電構造体と、を有する第一電極板と、前記第一電極板から所定の距離だけ離れ、第二基板と、前記第二基板に設置された第二導電構造体と、を有する第二電極板と、を含む。前記第一導電構造体及び前記第二導電構造体の少なくとも一方は、カーボンナノチューブ構造体を有する。前記カーボンナノチューブ構造体は、複数のカーボンナノチューブワイヤを含む。
【０００８】
前記第一導電構造体又は第二導電構造体におけるカーボンナノチューブワイヤは相互に平行に配列されている。
【０００９】
隣接する前記カーボンナノチューブワイヤの間の距離は、１０ｎｍ〜１ｍｍである。
【００１０】
前記カーボンナノチューブワイヤが、端と端で接続された複数のカーボンナノチューブセグメントを含む。単一のカーボンナノチューブセグメントは、平行に配列された複数のカーボンナノチューブである。
【００１１】
前記カーボンナノチューブワイヤの直径は０．５ｎｍ〜１００μｍである。
【００１２】
前記第一導電構造体におけるカーボンナノチューブワイヤの両方の端部は、それぞれ二つの第一電極に電気的に接続される。前記第二導電構造体におけるカーボンナノチューブワイヤの両方の端部は、それぞれ二つの第二電極に電気的に接続される。
【００１３】
第一導電構造体における複数のカーボンナノチューブワイヤは第二方向に対して平行に並列される。第二導電構造体における複数のカーボンナノチューブワイヤは第一方向に対して平行に並列される。
【００１４】
前記第一方向と前記第二方向とは、０°〜９０°角度で交叉されている。
【００１５】
本発明のディスプレイは、タッチパネルと、該タッチパネルに近接する表示素子と、を含む。前記タッチパネルは、第一基板と、前記第一基板に設置された第一導電構造体と、を有する第一電極板と、前記第一電極板から所定の距離だけ離れ、第二基板と、前記第二基板に設置された第二導電構造体と、を有する第二電極板と、を含む。前記第一導電構造体及び前記第二導電構造体の少なくとも一方は、カーボンナノチューブ構造体を有する。前記カーボンナノチューブ構造体は、複数のカーボンナノチューブワイヤを含む。
【発明の効果】
【００１６】
従来技術と比べると、本発明のタッチパネルは、次の優れた点を有する。本発明のタッチパネルに利用されるカーボンナノチューブフィルムは、良好な機械性及び強靱性、均一な導電性を有するので、本発明のタッチパネル及びディスプレイは、優れた導電性及び耐久性がある。さらに、本発明のカーボンナノチューブ構造体の製造方法は簡単である。従って、本発明の製造方法により、前記タッチパネル及びディスプレイの大量生産が実現でき、前記タッチパネル及びディスプレイのコストが低減することができる。さらに、本発明のカーボンナノチューブ構造体を利用することにより、前記電極及び導電構造体の間の接触抵抗を低減することができる。
【発明を実施するための最良の形態】
【００１７】
図面を参照して、本発明の実施形態について説明する。
【００１８】
図１及び図２を参照すると、本実施形態のタッチパネル１０は、第一電極板１２と、第二電極板１４と、前記第一電極板１２及び第二電極板１４の間に挟まれる複数のスペーサ１６と、を含む。
【００１９】
前記第一電極板１２は、第一基板１２０と、第一導電構造体１２２と、二つの第一電極１２４と、を備える。前記第一基板１２０は第一表面及び第二表面を有し、該第一表面及び第二表面はそれぞれ平面形に形成されている。前記第一導電構造体１２２及び前記二つの第一電極１２４は全部前記第一基板１２０の第一表面に設置されている。前記二つの第一電極１２４は前記第一導電構造体１２２を挟むように、前記第一基板１２０の両側に設置される。また、前記二つの第一電極１２４はそれぞれ前記第一導電構造体１２２に電気的に接続されている。ここで、一つの第一電極１２４から、前記第一導電構造体１２２を越えてもう一つの第一電極１２４まで進む方向を、第一方向と定義する。
【００２０】
前記第二電極板１４は、第二基板１４０と、第二導電構造体１４２と、二つの第二電極１４４と、を備える。前記第二基板１４０は第一表面及び第二表面を有し、該第一表面及び第二表面はそれぞれ平面形に形成されている。前記第二導電構造体１４２及び前記二つの第二電極１４４は全部前記第二基板１４０の第一表面に設置されている。前記二つの第二電極１４４は前記二つの第一電極１２４の側に対向せず、前記第二基板１４０の両側に設置される。また、前記二つの第二電極１４４は前記第二導電構造体１４２を挟むように前記第二導電構造体１４２に電気的に接続されている。ここで、一つの第二電極１４４から、前記第二導電構造体１４２を越えてもう一つの第二電極１４４まで進む方向を、第二方向と定義する。
【００２１】
また、前記第一方向は前記第二方向に対して直交する。前記二つの第一電極１２４は前記第一方向に平行に並列し、前記二つの第二電極１４４は前記第二方向に平行に並列している。即ち、前記第一電極１２４の長手方向は前記第二方向に平行し、前記第二電極１４４の長手方向は前記第一方向に平行する。前記第一電極１２４及び前記第二電極１４４は、金属又はカーボンナノチューブなど導電材料からなる。本実施形態において、前記第一電極１２４及び前記第二電極１４４は、銀ペーストからなる。
【００２２】
前記第一基板１２０は、ポリマー、樹脂など柔軟で透明な材料からなるが、前記第二基板１４０は、ガラス、石英などの透明な材料からなる。
【００２３】
本実施形態において、前記第二電極板１４及び前記第一電極板１２の間の距離は２〜２０μｍに設定されている。前記複数のスペーサ１６はそれぞれ所定の距離だけ離れて、均一に前記第二電極板１４の前記第二導電構造体１４２上に設置される。さらに、前記第二電極板１４及び前記第一電極板１２を密封するように、前記第二電極板１４と前記第一電極板１２との間に枠形の絶縁部１８を設置する。前記複数のスペーサ１６及び前記絶縁部１８は、例えば、透明な樹脂のような絶縁材料からなり、前記第一電極板１２と前記第二電極板１４とを絶縁して組み合わせるように機能する。前記複数のスペーサ１６の数量及び寸法は、実際のタッチパネルの寸法に応じて、前記第一電極板１２と前記第二電極板１４とを絶縁させるように設けられる。
【００２４】
さらに、前記第一電極板１２を保護するために、前記第一電極板１２の第一表面に対向する第二表面に透明な保護膜１２６を設置することができる。前記透明な保護膜１２６は、窒化ケイ素、二酸化ケイ素、ベンゾシクロブテン（ＢＣＢ）、ポリエステル又はアクリル酸などのいずれか一種からなる。さら、前記透明な保護膜１２６は、表面硬化処理されたプラスチック膜（例えば、ＰＥＴ）であることができる。
【００２５】
前記第一導電構造体１２２及び第二導電構造体１４２の少なくとも一方は、複数のカーボンナノチューブ構造体を含む。隣接する前記複数のカーボンナノチューブ構造体は、同じ距離（５ｎｍ〜１ｍｍ）だけで分離して配列されている。図３を参照すると、一つのカーボンナノチューブ構造体は、一つのカーボンナノチューブワイヤである。単一の前記カーボンナノチューブワイヤは、端と端が分子間力で接続された複数のカーボンナノチューブを含む。単一の前記カーボンナノチューブワイヤの直径は０．５ｎｍ〜１００μｍである。前記カーボンナノチューブが、単層カーボンナノチューブ、二層カーボンナノチューブ又は多層カーボンナノチューブである場合、単一のカーボンナノチューブの直径はそれぞれ０．５ｎｍ〜５０ｎｍ、１ｎｍ〜５０ｎｍ、１．５ｎｍ〜５０ｎｍの範囲に設定される。
【００２６】
本実施形態において、前記第一導電構造体１２２及び第二導電構造体１４２は、全て複数の前記カーボンナノチューブワイヤを含む。ここで、前記カーボンナノチューブワイヤが平行に配列されている。前記第一導電構造体１２２における複数のカーボンナノチューブワイヤは第二方向に対して平行に並列される。一方、前記第二導電構造体１４２における複数のカーボンナノチューブワイヤは第一方向に対して平行に並列される。即ち、前記第一導電構造体１２２におけるカーボンナノチューブワイヤは前記第二電極１４４に平行に配列されるが、前記第二導電構造体１４２におけるカーボンナノチューブワイヤは前記第一電極１２４に平行に配列される。本実施形態において、前記第一方向は前記第二方向に直交している。
【００２７】
前記第一導電構造体１２２及び第二導電構造体１４２の製造方法は、カーボンナノチューブアレイを提供する第一ステップと、前記カーボンナノチューブアレイからカーボンナノチューブ予備成形体（カーボンナノチューブフィルム）を引き出す第二ステップと、前記カーボンナノチューブ予備成形体を有機溶剤で処理し、又は機械加工してカーボンナノチューブワイヤを形成する第三ステップと、複数の前記カーボンナノチューブワイヤをそれぞれ前記第一基板１２０及び第二基板１４０に設置して、第一導電構造体１２２及び第二導電構造体１４２を形成する第四ステップと、を含む。
【００２８】
前記第一段階では、超配列カーボンナノチューブアレイ（Ｓｕｐｅｒａｌｉｇｎｅｄ  ａｒｒａｙ  ｏｆ  ｃａｒｂｏｎ  ｎａｎｏｔｕｂｅｓ，非特許文献１）を提供することが好ましい。本実施形態において、化学気相堆積（ＣＶＤ）法により前記カーボンナノチューブアレイを成長させる。まず、基材を提供する。該基材としては、Ｐ型又はＮ型のシリコン基材、又は表面に酸化物が形成されたシリコン基材が利用される。本実施形態において、厚さが４インチのシリコン基材を提供する。次に、前記基材の表面に触媒層を蒸着させる。該触媒層は、Ｆｅ、Ｃｏ、Ｎｉ又はそれらの合金である。次に、前記触媒層が蒸着された前記基材を、７００〜９００℃、空気の雰囲気において３０〜９０分間アニーリングする。最後に、前記基材を反応装置内に置いて、保護ガスを導入すると同時に前記基材を５００〜７００℃に加熱して、５〜３０分間カーボンを含むガスを導入する。これにより、高さが２００〜４００μｍの超配列カーボンナノチューブアレイが形成される。前記超配列カーボンナノチューブアレイは、相互に平行で基材に垂直に成長する複数のカーボンナノチューブからなる。前記方法により、前記超配列カーボンナノチューブアレイにアモルファスカーボン又は触媒剤である金属粒子などの不純物が残らず、純粋なカーボンナノチューブアレイが得られる。
【００２９】
本実施形態において、前記カーボンを含むガスはアセチレンなどの炭化水素であり、保護ガスは窒素やアンモニアなどの不活性ガスである。勿論、前記カーボンナノチューブアレイは、アーク放電法又はレーザー蒸発法により得られることができる。
【００３０】
第二段階では、まず、ピンセットなどの工具を利用して複数のカーボンナノチューブの端部を持つ。本実施形態において、一定の幅を有するテープを利用して複数のカーボンナノチューブの端部を持つ。次に、所定の速度で前記複数のカーボンナノチューブを引き出し、複数のカーボンナノチューブセグメントからなる連続的なカーボンナノチューブ予備成形体（例えば、カーボンナノチューブフィルム）を形成する。
【００３１】
前記カーボンナノチューブを引き出すために利用される工具は、接着テープ、ペンチ、ピンセットなどのいずれか一種である。前記工具を前記カーボンナノチューブアレイに接触させると、複数のカーボンナノチューブが前記工具に固定される。この後、前記カーボンナノチューブが固定された前記工具を移動させて、前記複数のカーボンナノチューブを同時に前記カーボンナノチューブアレイから引き出すことができる。前記カーボンナノチューブを引き出す方向は、前記カーボンナノチューブアレイの成長方向に垂直に設けられている。
【００３２】
前記複数のカーボンナノチューブを引き出す工程において、前記複数のカーボンナノチューブがそれぞれ前記基材から脱離すると、分子間力で前記カーボンナノチューブセグメントが端と端で接合され、連続のカーボンナノチューブ予備成形体が形成される。図４及び図５を参照すると、単一のカーボンナノチューブセグメント１４３は、長さが同じ複数のカーボンナノチューブ１４５を含む。該複数のカーボンナノチューブ１４５は、相互に平行に並列し、分子間力で接合されるように配列されている。前記カーボンナノチューブ予備成形体は複数のカーボンナノチューブセグメントを含む。前記カーボンナノチューブ予備成形体のカーボンナノチューブは、前記カーボンナノチューブフィルムを引く方向に平行に並列されている。前記カーボンナノチューブ予備成形体は、均一な導電性及び均一な厚さを有する。このカーボンナノチューブ予備成形体の製造方法は、高効率で簡単であり、工業的に実用される。
【００３３】
前記カーボンナノチューブ予備成形体の幅は前記基材の幅により決定され、前記カーボンナノチューブフィルムの長さは基材の寸法に限定されず、必要に応じて製造されることができる。前記カーボンナノチューブ予備成形体の幅は０．０１ｃｍ〜１０ｃｍに設けられ、厚さは０．５〜１００μｍに設けられる。前記カーボンナノチューブは、単層カーボンナノチューブ、二層カーボンナノチューブ又は多層カーボンナノチューブである。前記カーボンナノチューブが単層カーボンナノチューブである場合、直径が０．５ｎｍ〜５０ｎｍに設定され、前記カーボンナノチューブが二層カーボンナノチューブである場合、直径が１ｎｍ〜５０ｎｍに設定され、前記カーボンナノチューブが多層カーボンナノチューブである場合、直径が１．５ｎｍ〜５０ｎｍに設定される。
【００３４】
さらに、前記カーボンナノチューブ予備成形体を遮蔽層又は前記電極として利用することができる。
【００３５】
前記第三ステップにおいて、有機溶剤を利用して前記カーボンナノチューブ予備成形体を浸漬して処理することができる。前記カーボンナノチューブ予備成形体を前記有機溶剤で浸漬させて、前記有機溶剤を蒸発させた後、前記カーボンナノチューブ予備成形体が縮みんで、カーボンナノチューブワイヤに形成される。該カーボンナノチューブワイヤは前記カーボンナノチューブ予備成形体と比べて、比表面積及び直径が減少するので、強度及び靱性を高めることができる。前記有機溶剤は、メタノール、アルコール、アセトン又はこの二種の混合物である。前記カーボンナノチューブワイヤの直径は０．５ｎｍ〜１００μｍである。
【００３６】
さらに、前記第三ステップにおいて、前記カーボンナノチューブ予備成形体を機械加工（例えば、紡糸工程）して、ねじれたカーボンナノチューブワイヤを形成することもできる。詳しく説明すると、まず、前記カーボンナノチューブ予備成形体を紡糸装置に固定させる。次に、前記紡糸装置を動作させて前記カーボンナノチューブ予備成形体を回転させ、ねじれたカーボンナノチューブワイヤを形成する。
【００３７】
前記第四ステップにおいて、前記第一基板１２０及び第二基板１４０に前記カーボンナノチューブワイヤを設置する方法は次のサブステップを有する。第一サブステップでは、複数の前記カーボンナノチューブワイヤを分離させて、第二方向に対してそれぞれ平行に前記第一基板１２０の一つの表面に設置する。第二サブステップでは、複数の前記カーボンナノチューブワイヤを分離させて、第一方向に対してそれぞれ平行に前記第二基板１４０の、前記第一基板１２０に対向する表面に設置する。前記第一方向と前記第二方向とは、０°〜９０°角度で交叉されている。第二方向に対して平行に並列した前記複数のカーボンナノチューブワイヤの端部は、前記第一電極１２４に電気的に接触されている。第一方向に対して平行に並列した前記複数のカーボンナノチューブワイヤの端部は、前記第二電極１４４に電気的に接触している。このように設置すれば、タッチパネルに等電位面を形成することができる。本実施形態において、前記距離は均一に設定され、１０ｎｍ〜１ｍｍにされている。
【００３８】
さらに、光透過を均一にさせるために、隣接するカーボンナノチューブワイヤの間に光補償膜（図示せず）を設置することができる。前記光補償膜は、前記カーボンナノチューブワイヤと同じ光学性能（例えば、屈折率及び透過率）を有する材料（例えば、カーボンナノチューブ）からなる。
【００３９】
図５を参照すると、本実施形態のディスプレイ１００は、前記タッチパネル１０と、表示素子２０と、第一制御素子３０と、中央処理装置（ＣＰＵ）４０と、第二制御素子５０と、を含む。前記タッチパネル１０は前記表示素子２０に近接して設置され、また、外部回路（図示せず）で前記第一制御素子３０に電気的に接続されている。前記タッチパネル１０は、所定の空間で分離されて前記表示素子２０に接続され、又は、直接前記表示素子２０に密接に接続されていてもよい。本実施形態において、前記タッチパネル１０は、空間２６で分離されて前記表示素子２０に電気的に接続されている。前記第一制御素子２０及び前記中央処理装置４０は、それぞれ前記第二制御素子５０に電気的に接続されている。前記中央処理装置４０は、前記表示素子２０を制御することができる。
【００４０】
前記表示素子２０は、例えば液晶表示装置、電界放出型表示装置、プラズマ表示装置、電子発光表示装置、真空蛍光ディスプレイ、陰極線管などの表示装置のいずれか一種であることができる。
【００４１】
電磁妨害を防ぐために、さらに、前記第二基板１４０の前記導電構造体１４２に面する表面とは反対側の表面に遮蔽層２２を設置する。前記遮蔽層２２はＩＴＯ、ＡＴＯ（Ａｎｔｉｍｏｎｙ Ｔｉｎ Ｏｘｉｄｅ）のような導電性の柔軟な材料からなる。本実施形態において、前記遮蔽層２２はカーボンナノチューブフィルムである。前記カーボンナノチューブフィルムは、同じ方向に沿って配列された複数のカーボンナノチューブを含む。前記遮蔽層２２の前記基板１４０に面する表面とは反対側の表面に硬化層２４を設置することができる。該硬化層２４は、窒化ケイ素又は二酸化ケイ素からなる。該硬化層２４は誘電体層として利用されることができる。前記硬化層２４は所定の距離で分離されて前記表示装置２０の上方に設置され、又は、直接前記表示素子２０に設置されている。前記硬化層２４は絶縁層として利用でき、外力（例えば、電気力）で前記表示素子２０が損傷を受けることを防止することができる。
【００４２】
前記第一電極板１２及び前記第二電極板１４にそれぞれ例えば５Ｖの電圧を印加する場合、使用者はディスプレイ２０に表示された情報を読みながら、指又はペンなどの接触物６０で前記ディスプレイ２０の表面に設置された前記タッチパネル１０を押す。これにより、前記第一電極板１２の前記第一基板１２０を湾曲させ、変形７０を生じさせ、前記第一電極板１２の前記第一導電構造体１２２と前記第二電極板１４の前記第二導電構造体１４２とを接触させて回路を形成する。前記第一制御素子３０により、それぞれ前記第一導電構造体１２２におけるカーボンナノチューブの配列方向及び前記第二導電構造体１４２におけるカーボンナノチューブの配列方向に流れる電流を測定して、測定データを前記中央処理装置４０に伝送する。前記中央処理装置４０は前記測定データにより、前記第一電極板１２の前記第一導電構造体１２２と前記第二電極板１４の前記第二導電構造体１４２との接触場所を計算する。これによって、前記ディスプレイ２０における所定の場所に、必要な情報を表示することができる。
【図面の簡単な説明】
【００４３】
【図１】本発明の実施形態のタッチパネルの分解図である。
【図２】本発明の実施形態のタッチパネルの断面図である。
【図３】本発明の実施形態のカーボンナノチューブワイヤのＳＥＭ写真である。
【図４】本発明の実施形態のカーボンナノチューブフィルムのＳＥＭ写真である。
【図５】本発明の実施形態のカーボンナノチューブセグメントの模式図である。
【図６】本発明の実施形態のタッチパネルを利用したディスプレイを示す図である。
【符号の説明】
【００４４】
１０  タッチパネル
１００  ディスプレイ
１２  第一電極板
１２０  第一基板
１２２  第一導電構造体
１２４  第一電極
１２６  保護膜
１４  第二電極板
１４０  第二基板
１４２  第二導電構造体
１４４  第二電極
１６  スペーサ
１８  絶縁層
３０  第一制御素子
４０  中央処理装置
５０  第二制御素子
６０  接触物
７０  変形
【図１】
0004991680.tif 000002
【図２】
0004991680.tif 000003
【図５】
0004991680.tif 000004
【図６】
0004991680.tif 000005
【図３】
0004991680.tif 000006
【図４】
0004991680.tif 000007